(57)【要約】【課題】設置場所のレイアウトに応じて、形状を選択することのできる傘袋スタンドを提供する。【解決手段】傘袋スタンド１は、容器を載置する載置部材１０と、傘袋を保持する保持部材２０とを備えている。載置部材１０には、保持部材２０を取り付けるための取付部として、第１取付部Ａ及び第２取付部Ｂが設けられている。【選択図】図１
2014226387.tif 000002
【特許請求の範囲】
【請求項１】
傘袋を保持する保持部材と、容器を載置する載置部材とを備える傘袋スタンドであって、
前記保持部材と前記載置部材とは別体として構成され、
前記載置部材には、前記保持部材を取り付けるための取付部が複数箇所に設けられていることを特徴とする傘袋スタンド。
【請求項２】
前記載置部材は平面視において短辺及び長辺を有する長方形状に形成され、
前記取付部として、
前記載置部材の短辺側に前記保持部材を取り付けるための第１取付部と、
前記載置部材の長辺側に前記保持部材を取り付けるための第２取付部とを有することを特徴とする請求項１に記載の傘袋スタンド。
【請求項３】
前記第１取付部は、前記載置部材の短辺上、又は短辺から外方に突出した位置に設けられるとともに、前記第２取付部は、前記載置部材の長辺上、又は長辺から外方に突出した位置に設けられることを特徴とする請求項２に記載の傘袋スタンド。
【請求項４】
前記取付部に取り付けられて、前記容器を支持するための支持部材を備え、
前記保持部材及び前記支持部材は、前記載置部材に対する取り付け位置を入れ替え可能に構成されていることを特徴とする請求項１〜３のいずれか一項に記載の傘袋スタンド。
【発明の詳細な説明】
【技術分野】
【０００１】
本発明は、傘袋スタンドに関する。
【背景技術】
【０００２】
店舗等の建物において、雨天時に来訪者が持参する傘から水滴が落ちることを防止するために傘袋が提供される場合がある。こうした傘袋の提供は、建物の入口に傘袋を保持する傘袋スタンドを配置することによって行われている。傘袋スタンドとしては、傘袋を保持する保持部と、使用済みの傘袋を回収する容器とを備える傘袋スタンドが知られている（例えば、特許文献１及び２参照。）。
【０００３】
特許文献１の傘袋スタンドは、吊り下げ型の保持部材を備え、その保持部材の正面側に容器部分が取り付けられた構成となっている。特許文献１の傘袋スタンドの場合、入店時における傘袋を取る操作も、退店時における使用済みの傘袋を捨てる操作も同じ側（正面側）から行われることになるため、図５（ｂ）に示すように、傘袋スタンドの奥側を建物の壁に隣接させるように配置して使用される。
【０００４】
特許文献２の傘袋スタンドは、吊り下げ型の保持部材を備え、その保持部材の背面側に容器部分が取り付けられた構成となっている。つまり、保持部材と容器とが互いに背中合わせになるように構成されている。特許文献２の傘袋スタンドの場合、入店時における傘袋を取る操作は保持部材の正面側から行われ、退店時における使用済みの傘袋を捨てる操作はその反対側（保持部材の背面側）から行われることになるため、図５（ａ）に示すように、傘袋スタンドの側部を建物の壁に隣接させるように配置して使用される。
【先行技術文献】
【特許文献】
【０００５】
【特許文献１】実開平３−６６９０２号公報
【特許文献２】特開２０１２−８５６６８号公報
【発明の概要】
【発明が解決しようとする課題】
【０００６】
特許文献１及び特許文献２の各傘袋スタンドは、設置スペースや他の設置物との配置関係等に応じて、適宜選択して設置されている。例えば、設置スペースが比較的狭い場合には、来訪者の往来の妨げになり難い特許文献２の傘袋スタンドが好適に用いられる。そのため、設置場所のレイアウトに応じた適切な傘袋スタンドを選択するためには、予め設置場所のレイアウトが確定している必要があり、設置場所のレイアウトが確定していない状況においては、傘袋スタンドを適切に選択することが難しいという問題があった。
【０００７】
本発明は、こうした実情に鑑みてなされたものであり、その目的は、設置場所のレイアウトに応じて、形状を選択することのできる傘袋スタンドを提供することにある。
【課題を解決するための手段】
【０００８】
上記の目的を達成するための傘袋スタンドは、傘袋を保持する保持部材と、容器を載置する載置部材とを備える傘袋スタンドであって、前記保持部材と前記載置部材とは別体として構成され、前記載置部材には、前記保持部材を取り付けるための取付部が複数箇所に設けられている。
【０００９】
上記構成によれば、載置部材に対する保持部材の取り付け位置を、複数の取付部の中で変更することにより、傘袋スタンドの形状を変更することができる。よって、傘袋スタンドがとり得る複数の形状の中から、設置場所のレイアウトに適した形状を選択することのできる多様性のある傘袋スタンドとなる。
【００１０】
上記傘袋スタンドにおいて、前記載置部材は平面視において短辺及び長辺を有する長方形状に形成され、前記取付部として、前記載置部材の短辺側に前記保持部材を取り付けるための第１取付部と、前記載置部材の長辺側に前記保持部材を取り付けるための第２取付部とを有する。
【００１１】
この場合には、載置部材に対する保持部材の取り付け位置を、第１取付部とすると、特許文献２と同様の形状の傘袋スタンドが得られ、第２取付部とすると、特許文献１と同様の形状の傘袋スタンド１が得られる。そのため、様々な大きさの設置スペースに対応可能な傘袋スタンドとなる。
【００１２】
上記傘袋スタンドにおいて、前記第１取付部は、前記載置部材の短辺上、又は短辺から外方に突出した位置に設けられるとともに、前記第２取付部は、前記載置部材の長辺上、又は長辺から外方に突出した位置に設けられることが好ましい。この場合には、組み立て時に、載置部材に対して保持部材を取り付ける作業が容易になる。
【００１３】
上記傘袋スタンドにおいて、前記取付部に取り付けられて、前記容器を支持するための支持部材を備え、前記保持部材及び前記支持部材は、前記載置部材に対する取り付け位置を入れ替え可能に構成されていることが好ましい。
【００１４】
この場合には、複数の取付部のうち、保持部材が取り付けられていない取付部を利用して、載置部材に載置される容器の安定性を高めることができる。
【発明の効果】
【００１５】
本発明の傘袋スタンドによれば、設置場所のレイアウトに応じて、その形状を選択することができる。
【図面の簡単な説明】
【００１６】
【図１】傘袋スタンドの分解斜視図（第１形態）。
【図２】傘袋スタンドの斜視図（第１形態）。
【図３】傘袋スタンドの分解斜視図（第２形態）。
【図４】傘袋スタンドの斜視図（第２形態）。
【図５】（ａ），（ｂ）は、傘袋スタンドの使用形態の説明図。
【発明を実施するための形態】
【００１７】
以下、本発明の傘袋スタンドを図面に基づいて説明する。
図１及び図２に示すように、傘袋スタンド１は、使用済みの傘袋を回収する容器を載置するための載置部材１０と、載置部材１０の上方に配置されて、傘袋を保持する保持部材２０とを備えている。
【００１８】
載置部材１０は、複数の金属製のパイプ材を溶接等により組み合わせて構成される部材であって、平面視における外形が、短辺と長辺とを有する長方形状に形成されている。具体的には、載置部材１０の長辺に位置する部位には、載置された容器を側方から支持する一対の長辺フレーム１１，１２が設けられている。各長辺フレーム１１，１２の一方側（図１における手前側）の端部には、載置された容器を側方から支持する短辺フレーム１３が一体に接続されている。また、長辺フレーム１１，１２の間には、長辺フレーム間を架橋する複数の架橋フレーム１４が接続されている。これら複数の架橋フレーム１４のうち、中央側に配置される架橋フレーム１４は、容器を下方から支持する容器の載置部分となる。
【００１９】
両長辺フレーム１１，１２の他方側（図１における奥側）の端部には、第１取付部Ａが設けられている。第１取付部Ａは上方に開口する一対の穴状部分であって、平面視において載置部材１０の短辺上に位置するように設けられている。第１取付部Ａの穴状部分間の間隔は、特定値Ｘに設定されている。また、一方側の長辺フレーム１２（図１における奥側の長辺フレーム）には、第１取付部Ａと同形状の第２取付部Ｂが設けられている。第２取付部Ｂは上方に開口する一対の穴状部分であって、平面視において載置部材１０の長辺上に位置するように設けられている。第２取付部Ｂの穴状部分間の間隔は、特定値Ｘに設定されている。
【００２０】
保持部材２０は、上部保持部材２１と下部保持部材２２とから構成されている。上部保持部材２１は、金属製のパイプ材からなる部材であって、水平な頂部２１ａと、頂部２１ａの両端から垂下される脚部２１ｂとを備える下向きＵ字状に形成されている。上部保持部材２１の頂部２１ａには、傘袋の束を吊り下げて保持するためのフック状の保持部２１ｃが設けられている。
【００２１】
下部保持部材２２は、複数の金属製のパイプ材を溶接等により組み合わせて構成される部材であって、側部フレーム２３、２４の間を複数の架橋フレーム２５にて接続した形状に形成されている。架橋フレーム２５の一部には、規制枠２５ａが取り付けられている。規制枠２５ａは、保持部２１ｃに吊り下げられた傘袋を枠内に収めることによって、保持された傘袋が乱れた状態となることを規制する。
【００２２】
側部フレーム２３、２４の各上端部は、上部保持部材２１の脚部２１ｂに連結可能に構成されている。また、下部保持部材２２の側部フレーム２３、２４の下端部には、保持側取付部２６が設けられている。保持側取付部２６は、側部フレーム２３、２４の下端から下方に突出する挿入部分として形成されるとともに、当該挿入部分間の間隔は、特定値Ｘに設定されている。したがって、保持側取付部２６における各挿入部分間の間隔は、第１取付部Ａにおける穴状部分間の間隔、及び第２取付部Ｂにおける穴状部分間の間隔に等しい。
【００２３】
また、傘袋スタンド１は、載置部材１０に取り付けられて、載置された容器に対する側方からの支持を補助する支持部材３０を備えている。支持部材３０は、金属製のパイプ材からなる下向きＵ字状の部材であって、その両下端には、支持側取付部３１が設けられている。支持側取付部３１は、支持部材３０の両下端から下方に突出する挿入部分として形成されている。そして、当該挿入部分間の間隔は、特定値Ｘに設定されている。したがって、支持側取付部３１における各挿入部分間の間隔は、第１取付部Ａにおける穴状部分間の間隔、及び第２取付部Ｂにおける穴状部分間の間隔に等しい。
【００２４】
更に、傘袋スタンド１は、上部保持部材２１の保持部２１ｃに取り付けられて、傘袋スタンドであることを表示する表示プレート４１を備えている。また、傘袋スタンド１は、載置部材１０及び下部保持部材２２の下部に取り付けられるキャスタ４２を備えている。
【００２５】
図１に示すように、載置部材１０の第１取付部Ａに対して、下部保持部材２２の保持側取付部２６を挿入して、載置部材１０と保持部材２０とを接続する。そして、載置部材１０の第２取付部Ｂに対して、支持部材３０の支持側取付部３１を挿入して、載置部材１０と支持部材３０とを接続する。なお、第１取付部Ａにおいて、載置部材１０と保持部材２０とは、ボルト等の固定部材（図示略）を用いて取り外し可能に固定されている。第２取付部Ｂにおいても同様である。
【００２６】
図２に示すように、上記のとおりに各部材を組み合わせることによって、載置部材１０の短辺側に保持部材２０が取り付けられた第１形態の傘袋スタンド１が形成される。図２において、符号５１は、保持部２１ｃに吊り下げられた状態の傘袋を示している。
【００２７】
次に、本実施形態の作用について説明する。
載置部材１０は、第１形態において保持部材２０が取り付けられる第１取付部Ａに加えて、第１取付部Ａと同形状の第２取付部Ｂを更に備えている。そのため、載置部材１０に対する保持部材２０及び支持部材３０の各取り付け位置を入れ替えることができる。
【００２８】
図３に示すように、載置部材１０の第１取付部Ａに対して、支持部材３０の支持側取付部３１を挿入して接続する。そして、載置部材１０の第２取付部Ｂに対して、下部保持部材２２の保持側取付部２６を挿入して、載置部材１０と保持部材２０とを接続する。これにより、図４に示すように、載置部材１０の長辺側に保持部材２０が取り付けられた第２形態の傘袋スタンド１が形成される。
【００２９】
このように、本実施形態の傘袋スタンド１は、載置部材１０に対する保持部材２０及び支持部材３０の取り付け位置を変更することによって、その形状を変更することができる。そのため、設置場所のレイアウトに応じた傘袋スタンド１の形状を適宜、選択することが可能になる。
【００３０】
例えば、図５（ａ）に示すように、設置場所の設置スペースが狭いような場合には、載置部材１０の第１取付部Ａに保持部材２０を取り付けて、傘袋スタンド１を図２に示す第１形態に組み立てる。また、図５（ｂ）に示すように、設置場所の設置スペースが十分に確保される場合には、載置部材１０の第２取付部Ｂに保持部材２０を取り付けて、傘袋スタンド１を図４に示す第２形態に組み立てる。
【００３１】
次に、本実施形態の効果について記載する。
（１）傘袋スタンド１は、容器５２を載置する載置部材１０と、載置部材１０とは別体として形成され、傘袋５１を保持する保持部材２０とを備えている。載置部材１０には、保持部材２０を取り付けるための取付部として、第１取付部Ａ及び第２取付部Ｂが設けられている。
【００３２】
上記構成によれば、載置部材１０に対する保持部材２０の取り付け位置を、第１取付部Ａと第２取付部Ｂとの間で変更することにより、傘袋スタンド１の形状を変更することができる。よって、傘袋スタンド１がとり得る複数の形状の中から、設置場所のレイアウト（例えば、他の設置物との間の配置構成、設置スペース、使い勝手、意匠性等）に応じた好ましい形状を選択することのできる多様性のある傘袋スタンドとなる。
【００３３】
（２）載置部材１０は、平面視において、短辺及び長辺を有する長方形状に形成されている。取付部として、載置部材１０の短辺側に保持部材２０を取り付けるための第１取付部Ａと、載置部材１０の長辺側に保持部材２０を取り付けるための第２取付部Ｂとを備えている。
【００３４】
上記構成によれば、載置部材１０に対する保持部材２０の取り付け位置を第１取付部Ａとした場合には、第１形態の傘袋スタンド１が得られ、第２取付部Ｂとした場合には、第２形態の傘袋スタンド１が得られる。そのため、様々な広さの設置スペースに対応可能な傘袋スタンドとなる。
【００３５】
（３）平面視において、第１取付部Ａを載置部材１０の短辺上に設けるとともに、第２取付部Ｂを載置部材１０の長辺上に設けている。上記構成によれば、組み立て時に、載置部材１０に対して保持部材２０を取り付ける作業が容易になる。
【００３６】
（４）第１取付部Ａ又は第２取付部Ｂに取り付けられて、載置部材１０に載置された容器を側方から支持するための支持部材３０を備えている。保持部材２０及び支持部材３０は、載置部材１０に対する取り付け位置を入れ替え可能に構成されている。
【００３７】
上記構成によれば、第１取付部Ａ及び第２取付部Ｂのうち、保持部材２０が取り付けられていない側の取付部に支持部材３０が取り付けられることにより、同取付部に埃等が溜まることが抑制される。また、その支持部材３０を、容器を側方から支持する部材とすることにより、載置部材１０に載置された容器の安定性を高めることができる。なお、本明細書において、容器を側方から支持するとは、容器に直接接触して支持する構成に加えて、容器が傾いた場合や横ずれした場合に当接して容器の転倒を防止する構成を含む。
【００３８】
（５）傘袋スタンド１は、各部材間の接続部分を取り外すことにより分解することができる。そのため、晴天時等の傘袋スタンド１を使用しない場合には、傘袋スタンド１を分解してコンパクトにした状態で保管することができる。
【００３９】
上記実施形態は、次のように変更して具体化することも可能である。また、次の変更例を互いに組み合わせ、その組み合わせの構成のように上記実施形態を変更することも可能である。
【００４０】
・  第１取付部Ａは、載置部材１０の短辺側に保持部材２０を取り付けることが可能な構成、即ち載置部材１０における容器５２が載置される部位よりも短辺側の部分に保持部材２０が取り付けることが可能な構成であればよく、その設置位置は特に限定されるものではない。例えば、上記実施形態では、平面視において、載置部材１０の短辺上に第１取付部Ａを設けていたが、載置部材１０の短辺から外方に突出した位置に第１取付部Ａを設けてもよいし、短辺よりも内側位置に第１取付部Ａを設けてもよい。例えば、載置部材１０の一部（例えば、架橋フレーム１４）を短辺よりも外方へ突出させて、その突出部分に第１取付部Ａを設けることにより、載置部材１０の短辺から外方に突出した位置に第１取付部Ａを設けることができる。また、載置部材１０の長辺に第１取付部Ａを設けることも可能である。
【００４１】
なお、第２取付部Ｂについても同様に、載置部材１０の長辺側に保持部材２０を取り付けることが可能な構成、即ち載置部材１０における容器５２が載置される部位よりも長辺側の部分に保持部材２０が取り付けることが可能な構成であればよく、その設置位置は特に限定されるものではない。
【００４２】
・  載置部材１０の３箇所以上に取付部を設けてもよい。例えば、第１取付部Ａ及び第２取付部Ｂの少なくとも一方の取付部を複数設けてもよい。第１取付部Ａ及び第２取付部Ｂの一方の取付部を複数設けた場合には、他方の取付部については省略することもできる。
【００４３】
・  上記実施形態では、第１取付部Ａと第２取付部Ｂとを同形状に形成し、下部保持部材２２の保持側取付部２６が第１取付部Ａ及び第２取付部Ｂの両方に取り付け可能に構成していたが、第１取付部Ａ及び第２取付部Ｂの形状を異ならせてもよい。この場合には、下部保持部材２２に対して、第１取付部Ａに取り付け可能な第１保持側取付部と、第２取付部Ｂに取り付け可能な第２保持側取付部とを設ければよい。
【００４４】
また、第１取付部Ａと第２取付部Ｂとの間で、その一部を共用する構成であってもよい。
・  載置部材１０の第１取付部Ａ及び第２取付部Ｂと、保持部材２０の保持側取付部２６との間の具体的な取り付け構造は特に限定されるものではなく、取り外し可能な固定状態を形成することのできる取り付け構造であればよい。例えば、載置部材１０の第１取付部Ａ及び第２取付部Ｂを上方に突出する突出部分とし、保持部材２０の保持側取付部２６を穴状部分としてもよい。なお、第１取付部Ａ及び第２取付部Ｂと、支持部材３０の支持側取付部３１との間の取り付け構造についても同様である。
【００４５】
・  上記実施形態では、平面視において、保持部材２０の後部が載置部材１０から突出して、載置部材１０と保持部材２０とが長辺に沿った方向（第１形態）又は短辺に沿った方向（第２形態）に並ぶように配置されていたが、保持部材２０の一部又は全部が載置部材１０に重なるように配置されてもよい。この場合には、傘袋スタンド１をコンパクトに形成することができる。
【００４６】
・  支持部材３０の形状は特に限定されるものではないが、載置部材１０における一方側の長辺フレーム１１（図１における手前側）の上部、及び短辺フレーム１３の上部の少なくとも一方と同じ形状であることが好ましい。このように構成することで、左右又は前後にバランスの取れた意匠性の高い傘袋スタンドとなる。
【００４７】
・  支持部材３０を省略してもよい。この場合には、保持部材２０が取り付けられていない側の取付部に対して、ソケット等のキャップ部材を取り付けることが好ましい。
・  載置部材１０、保持部材２０、及び支持部材３０については、互いに取り付け可能な各取付部が設けられている点を除いて、その具体的構成は適宜変更することができる。例えば、上記実施形態では、金属製のパイプ材により載置部材１０、保持部材２０、及び支持部材３０の各部材を形成していたが、これら各部材を合成樹脂材料からなる成形品により形成してもよいし、金属製の板材等により形成してもよい。
【００４８】
・  傘袋スタンド１を構成する各部材が未組立の状態で含まれている傘袋スタンドの組立キットとしてもよい。
【符号の説明】
【００４９】
Ａ…第１取付部、Ｂ…第２取付部、１…傘袋スタンド、１０…載置部材、２０…保持部材、２１…上側保持部材、２２…下側保持部材、２６…保持側取付部、３０…支持部材、３１…支持側取付部、５１…傘袋、５２…容器。
【図１】
2014226387.tif 000003
【図２】
2014226387.tif 000004
【図３】
2014226387.tif 000005
【図４】
2014226387.tif 000006
【図５】
2014226387.tif 000007